(57)【要約】      （修正有）【課題】暗渠排水溝の掘削の効率性の向上および掘削の正確性の向上。【解決手段】掘削装置Ａによれば、走行機Ｂの前進によって、掘削ブレード面部１１が連続的に溝Ｃを掘削し、掘削された土を案内面部１２が排土部２へ案内する。溝Ｃの掘削時においては、抑え板４Ｌ，４Ｒが土の落下および溝Ｃの両縁部Ｃ１，Ｃ２の崩れを支える。案内両部１２から排土部２へ案内された土は、排土部２によって溝から離間する方向へ移動させられ、これと同時に、整地部３が土を整地する。したがって、暗渠排水溝の掘削の効率性の向上および掘削の正確性の向上を実現することができる。【選択図】図２
0003105330.tif 000002
【実用新案登録請求の範囲】
【請求項１】
すくなくとも、掘削部と、排土部と、整地部とを一体に備えてなり、掘削部が走行機の走行によって溝を連続掘削し、排土部が掘削により生じる土を溝から排土し、整地部が排土された土を整地する構成としている暗渠排水溝の掘削装置。
【請求項２】
前記掘削部は、土中に挿し込まれてた状態で、走行機によって掘り進むとともに、掘り上げて、掘削により生じる土を排土部に移動させる態様のものである請求項１に記載の暗渠排水溝の掘削装置。
【請求項３】
前記掘削部が上下動可能にされている請求項２に記載の暗渠排水溝の掘削装置。
【請求項４】
前記排土部は、掘削方向と交差するとともに、溝から離間する方向に土を移動させながら排土する態様のものである請求項１ないし請求項３いずれか１項に記載の暗渠排水溝の掘削装置。
【請求項５】
前記整地部は、排土部の下端に地面と平行状に設けられ、排土される土を連続的に整地する態様のものである請求項１ないし請求項４いずれか１項に記載の暗渠排水溝の掘削装置。
【請求項６】
掘削部の両側に、掘削される溝の両縁部の崩れを抑える抑え板を備えている請求項１ないし請求項５いずれか１項に記載の暗渠排水溝の掘削装置。
【考案の詳細な説明】
【技術分野】
【０００１】
本考案は、暗渠排水溝の掘削装置に関し、特に農地に設けられる暗渠排水溝の掘削に好適な掘削装置に関する。
【背景技術】
【０００２】
農地の余剰水を排水して土壌を良好に保つために明渠排水溝が設けらているが、現在では、余浄水の排水性を高めるために、明渠排水溝に代えて暗渠排水溝を設けることが増えつつある。
ところで、暗渠排水溝は、地下に連続した通水空間を設けるため、相当深く掘削する必要性が有る。
そのため、現在の掘削方法は、表土と深土をパワーショベルを用いて分けて掘削している。
【０００３】
しかしながら、パワーショベルの場合、ショベル部の可動範囲内で溝を掘削し、当該可動範囲内での掘削が終了すると移動して次の溝を掘削するものであるため、作業効率が低いものである。
また、掘削により生じる土は、掘削された溝の脇に盛られるため、盛られた土が深土の掘削作業の障害になって、さらなる作業効率の低下が生じる。
さらに、オペレーターの技術にもよるが、溝の方向性がずれたり溝の深さが一定にならなかったりすることが生じる可能性も有る。
前記した不具合を解決する先行技術文献情報に関しては、本出願人が知り得る限りでは存在しない。
【考案の開示】
【考案が解決しようとする課題】
【０００４】
そこで、本考案は、暗渠排水溝の掘削の効率性の向上および掘削の正確性の向上を課題とし、この課題を解決した暗渠排水溝の掘削装置の提供を目的とする。
【課題を解決するための手段】
【０００５】
上記目的を達成するために本考案は、下記の技術的手段を採用した。
その技術的手段は、すくなくとも、掘削部と、排土部と、整地部とを一体に備えてなり、掘削部が走行機の走行によって溝を連続掘削し、排土部が掘削により生じる土を溝から排土し、整地部が排土された土を整地するようにしたことである（請求項１）。
【０００６】
前記掘削部の構成としては、土中に挿し込まれてた状態で、走行機によって掘り進むとともに、掘り上げて、掘削により生じる土を排土部に移動させる態様のもの（請求項２）が例示できる。
また、溝深さを任意に設定するために、前記掘削部を上下動可能にする（請求項３）ことが好ましい。
【０００７】
前記排土部の構成としては、掘削方向と交差するとともに、溝から離間する方向に土を移動させながら排土する態様のもの（請求項４）が例示できる。
前記整地部の構成としては、排土部の下端に地面と平行状に設けられ、排土される土を連続的に整地する態様のもの（請求項５）が例示できる。
【０００８】
また、溝の掘削における確実性を向上させるということから、掘削部の両側に、掘削される溝の両縁部の崩れを抑える抑え板を備えることが好ましい。
【考案の効果】
【０００９】
本考案は、前記構成によって、下記の優れた効果を有する。
請求項１の考案によれば、連続的に掘削して排土し、さらに排土した土を整地可能なものであるので、暗渠排水溝の掘削の効率性の向上および掘削の正確性の向上を実現することができる。
さらに、掘削部の強度や掘削力を考慮することによって、表土のみならず深土を含めて一回の掘削作業とすることも可能である。
【００１０】
また、請求項２の考案によれば、本考案における掘削装置の掘削部を具体的に提供することができる。
また、請求項３の考案によれば、掘削部を上下動させることによって溝深さを任意に設定することができる。
また、請求項４の考案によれば、掘削により発生する土を再び溝内に入れないようにすることができる。
また、請求項５の考案によれば、排土された土を迅速に整地することができる。
【００１１】
そして、請求項６の考案によれば、掘削部が溝を掘削する際に、抑え板が溝の両縁部を抑えているので、掘削される溝の崩れが抑制されて、溝の掘削の確実性が向上する。
さらに、抑え板が掘削部で掘削した土を掘削部の両側からの落下を抑制し、より多くの土を排土部へ案内するので、掘削により発生する土を再び溝内に入れないようにすることの確実性が向上する。
【考案を実施するための最良の形態】
【００１２】
以下、本考案の掘削装置の実施の形態を図に基づいて説明する。
本実施の形態の掘削装置Ａは、走行機Ｂの前方に連結されており、走行機Ｂの前進によって溝Ｃを連続的に掘削するものである。
本実施の形態の走行機Ｂは、一般にアングルドーザーと呼ばれるものであって、前方に、たとえば、盛られた土等を一方向に移動させるための排土板を、地面に対して接近離間するように上下動可能に備えているものである。
なお、本実施の形態では、前記排土板が溝Ｃ側の端部から斜め後方へ傾斜しているものであり、このような排土板を後述する排土部２とする。
また、排土板を上下動させる構成については、周知構造であるため説明は省略する。
【００１３】
掘削装置Ａを詳述すると、溝Ｃを掘削する掘削部１と、掘削により生じた土を溝Ｃから離間させる方向に移動させる前述の排土部２と、排土部２で移動させる土を整地する整地部３と、掘削される溝Ｃの両縁部Ｃ１，Ｃ２を抑える抑え板４Ｌ，４Ｒとを備えて構成されている。
【００１４】
掘削部１は、排土部２の溝Ｃ側の下端部に一体的に連設されている。
掘削部１は、土中に挿し込まれて掘削する長さおよび幅とする掘削ブレード面部１１と、掘削されて生じる土を排土部２に案内する案内面部１２とを一体形成してなる。
また掘削部１は、案内面部１２の基部から掘削ブレード面部１１の先端部へ向けて低くなるように傾斜させている。
このような掘削部１で溝を掘る場合には、掘削ブレード面部１１の先端を地面上に置き、この状態で排土部２を下げながら走行機Ｂを前進させることにより、掘削ブレード面部１１が徐々に地中へ潜らせる。
そして、掘削ブレード面部１１の先端が目的の深さに至った時点で、排土部２を停止し、そのまま、走行機Ｂを前進させることによって、一定の深さの溝Ｃが掘削される。
また、溝の深さを深くしたり浅くしたりするには、排土部２の上下動調整によって行うようにしている。
なお、溝の深さの調整については、掘削部を排土部に対して上下動させることによっても可能なものであり、この場合、たとえば、掘削部にねじ孔を開孔するとともに、排土部には掘削部のねじ孔に対応するねじ孔を上下方向に多数開孔し、掘削部のねじ孔を這い土部のねじ孔の目的の深さの溝となるねじ孔に合わせて、ボルト・ナットによって固定するようにしてもよい。（図示せず）
【００１５】
案内面部１２は、掘削ブレード１１の後方に一体に連設されており、その基端部から先端部に亘って徐々に溝から離間する方向へ曲げられた曲面状としている。
この構成によって、掘削ブレード面部１１によって掘り上げられた土を、排土部２へスムースに案内するようにしている。
【００１６】
排土部２は、前述したように、アングルブルドーザーに用いられる排土板をそのまま利用したものであり、前記案内面部１２から案内される土を、溝から離間する方向へ移動させるものである。
また、排土部２は、溝Ｃ側の端部が逆側の端部方向へ曲げられた曲面状としており、この曲面は、前記案内面部１２の曲面と段差無く連続している。
この構成によって、案内面部１２から案内される土が大量の場合においても、その土を排土部２から溝方向へオーバーフローさせることなく、溝Ｃから離間する方向へ案内することができる。
【００１７】
整地部３は、前記排土部２の下端部全域に一体的、かつ地面と平行状に形成され、走行機Ｂの前進によって、排土部２で移動する土の上面を均すように整地するようにされている。
【００１８】
抑え板４Ｌ，４Ｒは、前記掘削ブレード面部１１の両側に位置する略円盤状のものであり、当該両抑え板４Ｌ，４Ｒの間隔を溝Ｃの幅と略同幅にしている。
この抑え板４Ｌ，４Ｒは、掘削ブレード面部１１の全長以上の径として、後端側が当該ブレード面部１１における溝Ｃの両縁部Ｃ１，Ｃ２を掘削する部位に位置し、前端側がブレード面部１１の先端よりも前方に位置している。
また、抑え板４Ｌ，４Ｒは、前記排土部２と共に上下動するようにされ、前記掘削ブレード面部１１による掘削動作に追従して地中に入り、掘削部１が溝Ｃを掘削する直前に、掘削される溝Ｃの幅とする切れ込みを形成するようにしている。
つまり、抑え板４Ｌ，４Ｒは、掘削ブレード面部１１の両側において掘削される土を支える略壁状体となって、その土を掘削ブレード面部１１の両側から落下させないとともに、溝Ｃの両縁部Ｃ１，Ｃ２の崩れを支えることができる。
【００１９】
このようにした掘削装置Ａによれば、走行機Ｂの前進によって、掘削ブレード面部１１が連続的に溝Ｃを掘削し、掘削された土を案内面部１２が排土部２へ案内する。
溝Ｃの掘削時においては、抑え板４Ｌ，４Ｒが土の落下および溝Ｃの両縁部Ｃ１，Ｃ２の崩れを支える。
案内面部１２から排土部２へ案内された土は、排土部２によって溝から離間する方向へ移動させられ、これと同時に、整地部３が土を整地する。
したがって、暗渠排水溝の掘削の効率性の向上および掘削の正確性の向上を実現することができる。
【００２０】
また、本考案は、前記した実施の形態に限定するものでは無く、実用新案登録請求の範囲の各項に記載された内容から逸脱しない範囲で他の構成による実施が可能なものである。  
【図面の簡単な説明】
【００２１】
【図１】本考案に係る掘削装置の側面図。
【図２】図1の正面図で掘削状態を示す。
【図３】掘削状態を示す側面図。
【図４】図１の平面図。
【符号の説明】
【００２２】
Ａ：掘削装置
Ｂ：走行機
Ｃ：溝Ｃ
１：掘削部
２：排土部
３：整地部
４Ｌ：抑え板
４Ｒ：抑え板
１１：掘削ブレード面部
１２：案内面部
Ｃ１：縁部
Ｃ２：縁部
【図１】
0003105330.tif 000003
【図２】
0003105330.tif 000004
【図３】
0003105330.tif 000005
【図４】
0003105330.tif 000006